(57)【要約】【課題】  模様を描き込んだ部分を取外し可能にして、これを交換できるようにした変化に富むうちわの提供。【解決手段】    (i)扇板１と、把持部８と、発光手段と、溝２５…を刻設することにより模様を表した透光性材料製の装飾板２４を有し、(ii)上記装飾板２４が、上記扇板１に重合または嵌合自在であり、上記発光手段より入射した光をその周面及び上記溝２５…から放射するようにしてなるうちわ。【選択図】  図１
0003105655.tif 000002
【実用新案登録請求の範囲】
【請求項１】
(i)扇板と、把持部と、発光手段と、溝を刻設することにより模様を表した透光性材料製の装飾板とを有し、(ii)上記装飾板が、上記扇板に重合または嵌合自在であり、上記発光手段より入射した光をその周面および上記溝から放射するようにしてなることを特徴とするうちわ。
【請求項２】
上記装飾板が、上記扇板に重合された状態で上記把持部に取り付けられるようにしてなることを特徴とする請求項１記載のうちわ。
【請求項３】
(i)上記装飾板が差込部を有し、(ii)上記把持部が、上記発光手段とその発光手段の点灯，消灯を制御する制御回路と電源と電源から上記制御回路への電圧供給を断続する接点とを内蔵するとともに、上記発光手段と対向する位置に装飾板差込孔を開設し、上記装飾板を、上記差込部を上記装飾板差込孔に差し込んで取り付けたときに差込部の先端面が上記発光手段に対向するようにしてなり、(iii)上記装飾板の取付けにより、上記接点が閉じて制御回路に電圧が供給され上記発光手段を点灯させることができ、該装飾板を取り付けていないときには上記発光手段が消灯するようにしていることを特徴とする請求項１または２記載のうちわ。
【請求項４】
上記接点は、上記把持部の装飾板差込孔に差し込まれた上記装飾板の差込部がスイッチ板を押圧することによって閉じられるようにしてなることを特徴とする請求項３記載のうちわ。
【請求項５】
上記装飾板が、上記扇板に、該扇板に開設した嵌合孔に嵌合させた状態で取り付けられるようにしてなることを特徴とする請求項１記載のうちわ。
【請求項６】
上記発光手段が、上記装飾板を取り付けているときに点灯させることができ、該装飾板を取り付けていないときには消灯するようにしてなることを特徴とする請求項５記載のうちわ。
【請求項７】
上記扇板に、模様を描いたシールを貼付してなることを特徴とする請求項１，２，３，４，５または６記載のうちわ。
【請求項８】
上記発光手段の点灯，消灯を所要位置に設けた押しボタンにより操作できるようにしてなることを特徴とする請求項１，２，３，４，５，６または７記載のうちわ。
【請求項９】
上記発光手段が、点灯状態が一定時間続いたときに自動的に消灯するようにしてなることを特徴とする請求項１，２，３，４，５，６，７または８記載のうちわ。
【請求項１０】
上記発光手段がＬＥＤからなることを特徴とする請求項１，２，３，４，５，６，７，８または９記載のうちわ。
【請求項１１】
上記発光手段が、互いに異なる色の複数のＬＥＤからなるとともに、所要位置に設けた押しボタンを押す回数に応じてそれらＬＥＤの点灯パターンを切り換えることができるようにしてなることを特徴とする請求項１，２，３，４，５，６，７，８，９または１０記載のうちわ。
【考案の詳細な説明】
【技術分野】
【０００１】
本考案はうちわに関する。
【背景技術】
【０００２】
従来、内部に光源を備えた柄部に透明な扇板を取り付けるとともに、その扇板に直接溝を刻設して文字，図形または記号からなる模様を描き込んだうちわが知られている。
このうちわは、柄部のスイッチを入れると光源が発光し、その光が上記扇板の内部へ入射して溝から放射され上記模様を浮き出させるようになっている（特許文献１）。
【０００３】
また、他のうちわとして、透明なアクリル樹脂製の扇板に、レーザ加工で形成した微細なクラックの集合により文字，図形等からなる模様を直接描き込んでおき、その扇板を柄部に取り付けるとともに、その扇板に柄部側の光源から入射させた光を上記クラックに照射して散乱させ、この光により模様を暗闇の中で浮き出させるようにしたものがある（特許文献２）。
【０００４】
上記いずれのうちわも、光源として異なる色の複数のＬＥＤを採用することができ、そのＬＥＤの発光を個々に制御することで、模様を点滅させたり発光色を変えたりすることができるようになっている。
【特許文献１】実用新案登録3096615号公報
【特許文献２】特開2002-315617号公報
【考案の開示】
【考案が解決しようとする課題】
【０００５】
しかし、それらは、特定の模様を扇板に直接描き込んでいたから、上記のように模様の点滅や発光色の変更はできても、書き込まれた特定の模様そのものを変化させるようなことはできず変化に乏しいものであった。
【０００６】
そこで、本考案は、模様を描き込んだ部分を取外し可能にして、これを交換できるようにした変化に富むうちわの提供を目的とする。
【課題を解決するための手段】
【０００７】
請求項１記載の本考案うちわは、(i)扇板１と、把持部８と、発光手段と、溝２５…を刻設することにより模様を表した透光性材料製の装飾板２４を有し、(ii)上記装飾板２４が、上記扇板１に重合または嵌合自在であり、上記発光手段より入射した光をその周面及び上記溝２５…から放射するようにしてなる。
【０００８】
請求項２記載の本考案は、装飾板２４が、上記扇板１に重合された状態で上記把持部８に取り付けられるようにしてなる請求項１記載のうちわである。
【０００９】
請求項３記載の本考案は、(i)上記装飾板２４が差込部２７を有し、(ii)上記把持部８が、上記発光手段とその発光手段の点灯，消灯を制御する制御回路と電源と電源から上記制御回路への電圧供給を断続する接点１６とを内蔵するとともに、上記発光手段と対向する位置に装飾板差込孔２２を開設し、上記装飾板２４を、上記差込部２７を上記装飾板差込孔２２に差し込んで取り付けたときに差込部２７の先端面２８が上記発光手段に対向するようにしてなり、(iii)上記装飾板２４の取付けにより、上記接点１６が閉じて制御回路に電圧が供給され上記発光手段を点灯させることができ、該装飾板２４を取り付けていないときには上記発光手段が消灯するようにしている請求項１または２記載のうちわである。
【００１０】
請求項４記載の本考案は、上記接点１６は、上記把持部８の装飾板差込孔２２に差し込まれた上記装飾板２４の差込部２７がスイッチ板１５を押圧することによって閉じられるようにしてなる請求項３記載のうちわである。
【００１１】
請求項５記載の本考案は、上記装飾板２４が、上記扇板１に、該扇板１に開設した嵌合孔に嵌合させた状態で取り付けられるようにしてなる請求項１記載のうちわである。
【００１２】
請求項６記載の本考案は、上記発光手段が、上記装飾板２４を取り付けているときに点灯させることができ、該装飾板２４を取り付けていないときには消灯するようにしてなる請求項５記載のうちわである。
【００１３】
請求項７記載の本考案は、上記扇板１に、模様を描いたシールを貼付してなる請求項１，２，３，４，５または６記載のうちわである。
【００１４】
請求項８記載の本考案は、上記発光手段の点灯，消灯を所要位置に設けた押しボタン１７により操作できるようにしてなる請求項１，２，３，４，５，６または７記載のうちわである。
【００１５】
請求項９記載の本考案は、上記発光手段が、点灯状態が一定時間続いたときに自動的に消灯するようにしてなる請求項１，２，３，４，５，６，７または８記載のうちわである。
【００１６】
請求項１０記載の本考案は、上記発光手段がＬＥＤ１３…からなる請求項１，２，３，４，５，６，７，８または９記載のうちわである。
【００１７】
請求項１１記載の本考案は、上記発光手段が、互いに異なる色の複数のＬＥＤ１３…からなるとともに、所要位置に設けた押しボタン１７を押す回数に応じてそれらＬＥＤ１３…の点灯パターンを切り換えることができるようにしてなる請求項１，２，３，４，５，６，７，８，９または１０記載のうちわである。
【考案の効果】
【００１８】
本考案うちわによれば、(i)扇板と、把持部と、発光手段と、溝を刻設することにより模様を表した透光性材料製の装飾板とを有し、(ii)上記装飾板は、上記扇板に重合または嵌合自在であり、上記発光手段より入射した光をその周面および上記溝から放射するようにしてなるので、上記装飾板を取り付けた状態でも取り外した状態でも、うちわとして使用できる。
装飾板を取り付けた場合、発光手段からの光は、該装飾板の周面から外方へ放射されるとともに、刻設された溝からも外方へ放射され、周面および溝が明るく輝き、その装飾板の輪郭および溝で描いた模様が浮き出る。
しかも、異なる模様を表した装飾板と交換することができるので、変化に富むものである。
【考案を実施するための最良の形態】
【００１９】
(i)扇板と、把持部と、発光手段と、溝を刻設することにより模様を表した透光性材料製の装飾板とを有し、(ii)上記装飾板は、上記扇板に重合または嵌合自在であり、上記発光手段より入射した光をその周面および上記溝から放射するようにしてなるうちわ。
【実施例】
【００２０】
１は、表面の外周に肉厚にした縁部２を形成してこれにより凹部３を囲繞形成するとともに、下縁から所要長さの細幅の切欠き４を入れ、その左右斜め上方の位置に一対の固定用孔５，５を開設してなる円板状の扇板である。
【００２１】
上記扇板１は、無色透明のポリカーボネート製であるが、無色透明のものでなく有色透明あるいは不透明としてもよい。また、ポリカーボネート以外の他の素材からなるものとしてもよい。
【００２２】
６は、その扇板１の上記凹部３に貼付された、任意の文字，図形もしくは記号からなる模様７…を印刷等により描いた透明なシールで、その模様７…により、たとえばキャラクターの姿やその名称を表したり、標語を表したり、風景を表すなどすることができる。
なお、そのシール６は、その全体または一部を不透明なものとしてもよい。
【００２３】
８は、表側筐体９と裏側筐体１０とをビス止めしてなる筐体状の把持部である。この把持部８の中には、基板１２上に取り付けられた赤色，緑色および青色の３つのＬＥＤ１３…からなる発光手段と、該基板１２上に形成され、上記ＬＥＤ１３…の点灯，消灯を制御する制御回路と、ボタン電池１４…からなる電源とが内蔵されている。
なお、上記ＬＥＤ１３…の数や各々の色は適宜変更してもよい。
【００２４】
１５は、「く」の字状に折曲した金属製のスイッチ板である。
このスイッチ板１５は、折曲部１５’を表側筐体９の側に突出させ、一端を上記基板１２から少し浮かせた状態にして、他端において該基板１２上に半田付けされ、上記一端とその基板１２上の端子（図示しない）との間で接点１６をなしているもので、上記電池１４…の電圧は、この接点１６が閉じられることにより制御回路に供給され、接点１６が開くと断たれるようになっている。
１７は、上記ＬＥＤ１３…の点灯，消灯を操作する、上記基板１２上のスイッチ１８を押すために、表側筐体９に設けられた押しボタンである。なお、この押しボタンは、他の所要の位置に設けてもよい。
１９は上記の電池１４…を収納する電池収納部の蓋で、それは裏側筐体１０にビス止めされている。
【００２５】
２０は、上記把持部８の先端からその左右側面にかけて開口した扇板受入溝、２１，２１は、上記扇板受入溝２０の内奥側の、上記扇板１の固定用孔５，５に対応することとなる位置に形成された、一対の扇板固定軸である。
２２は、上記把持部８の先端に上記扇板受入溝１８に連続して、かつ上記ＬＥＤ１３…に対向させて開口した、装飾板差込孔である。
２３は、表側筐体９の内面の、上記装飾板差込孔２２の内奥側至近位置に形成された装飾板固定用突起である。
【００２６】
上記扇板１は、その下縁を扇板受入溝２０に挟持させ、かつ、扇板固定軸２１，２１を固定用孔５，５に挿通させて上記把持部８の先端に取り付けられているもので、上記スイッチ板１５は、ちょうど扇板１の切欠き４内に位置し（図６）、その折曲部１５’を該扇板１の表面より突出させた状態になっている（図３）。
【００２７】
２４は、ポリカーボネート等の透光性材料からなり、動物等のキャラクターの姿を表す外形にした所要厚さの装飾板である。
その表面には、溝２５…を刻設することにより目，口，眉毛等を描き、そのキャラクターの表情を立体的に表している。また、その周面２４’は、斜めに成形してある。
なお、溝２５…によりキャラクターの名称その他の各種の文字，図形もしくは記号からなる模様を立体的に表すこともできる。また、その溝２５…は、両面に刻設してもよい。
この装飾板２４の下端には、固定用孔２６を開設した所要幅の差込部２７が延長形成されている。
【００２８】
この装飾板２４は、上記扇板１の表面側すなわちシール６の上に重合させ、差込部２７を把持部８の装飾板差込孔２２に差し込んで、該把持部８への取付け（扇板１への重合）および取外し自在になっている。
把持部８に取り付けたとき、差込部２７の先端面２８は、上記ＬＥＤ１３…に対向するようになっており、また、固定用孔２６が上記装飾板固定用突起２３に係合するので（図２，３）、装飾板２４は不用意に抜け落ちないようになっている。
【００２９】
装飾板２４を取り付け、その差込部２７が装飾板差込孔２２に差し込まれた状態になると、スイッチ板１５の折曲部１５’が該差込部２７に押圧され、接点１６を閉じる（図２）ので、制御回路に電圧が供給され、後記のようにＬＥＤ１３…を点灯させることができるようになる。
そのＬＥＤ１３…から発せられる光は、装飾板２４の差込部２７の先端面２８から該装飾板２４内へ入射する。
【００３０】
この装飾板２４内へ入射した光は、その周面２４’から外方へ放射されるとともに、刻設された溝２５…からも外方へ放射されるので、装飾板２４は、扇板１を背景として、周面２４’および溝２５…が明るく輝かせ、キャラクターの輪郭，表情等が浮き出る。
【００３１】
上記ＬＥＤ１３…の点灯，消灯は、上記制御回路により以下のように制御される。
(i)装飾板２４を取り付けることにより、接点１６が閉じて制御回路に電圧が供給されたときには、赤色，緑色，青色の各ＬＥＤ１３…が、数秒間一見ランダムな点滅をして、すぐに消灯する。
(ii)その後は、上記押しボタン１７を押すことによりスイッチ１８が押される回数に応じて、制御回路が表１に示したように上記各ＬＥＤ１３…の点灯パターンを切り換える。
【００３２】
【表１】
0003105655.tif 000003
【００３３】
すなわち、押しボタン１７を１度押すと、赤色のＬＥＤ１３のみが点灯し、次に押すと、その赤色のＬＥＤ１３が消灯する（表１における回数１，２の欄）。
【００３４】
続けて押すと、緑色のＬＥＤのみの点灯、その消灯、青色のＬＥＤのみの点灯、その消灯が順次行われる（表１における回数３〜６の欄）。
【００３５】
さらに繰り返し押すと、３つのＬＥＤ１３…のうち２つずつの点灯，消灯が順次行われ（表１における回数７〜１２の欄）、その後は、３つ全てのＬＥＤ１３…の点灯，消灯が行われる（表１における回数１３，１４の欄）。
【００３６】
その次に押した場合は、各ＬＥＤ１３…が１秒ずつずれた３秒間の点灯を、繰り返し行う（表１における回数１５の欄）。
【００３７】
さらに押しボタン１７を押すと、その回数に応じて上記のパターンが繰り返される。
【００３８】
本考案うちわは、このように、押しボタン１７を押すたびに発光手段たるＬＥＤ１３…が異なる色の発光をして、装飾板２２の周面２４’および溝２５…を異なる色で浮き出させるので、趣がある。
【００３９】
なお、押しボタン１７を押すことに伴う上記の点灯パターンは一例として挙げたもので、他のパターンとしてもよい。また、点灯状態が一定時間続いたときには自動的に消灯するようにしておけば、電池の無駄な消耗を防ぐことができる。
【００４０】
一方、上記装飾板２４が取り付けられていないときには、スイッチ板１５が元の位置に戻り、接点１６が開く（図３）ので、制御回路への電圧の供給が絶たれ、全てのＬＥＤ１３…が消灯する。
【００４１】
なお、本考案うちわは、外形を異にし、溝２５を刻設することによって異なる模様を描いた装飾板を複数用意しておき、そのうち適宜のものを取り付けることにより、光により浮き出させる模様を変更することができるから、変化に富む。
【００４２】
また、上記では、装飾板２４は、把持部８の装飾板差込孔２２に、差込部２７を差し込んで、扇板１に重合状態にして上記把持部８に取り付けられるものとして説明したが、たとえば、扇板に装飾板と同形の嵌合孔を開設しておき、装飾板は、その嵌合孔に嵌合させて扇板に取り付けられるようにするなどしてもよい。
この場合、発光手段や制御回路は、把持部８内に内蔵せず、扇板に埋め込むようにしてもよい。
【図面の簡単な説明】
【００４３】
【図１】本考案の一実施例に係るうちわの斜視図である。
【図２】図１のI-I線断面図である。
【図３】図２の要部拡大図である。
【図４】扇板と把持部と装飾板との平面図である。
【図５】図４のII-II線断面図である。
【図６】把持部の上側筐体を開いた状態の上記うちわの平面図である。
【符号の説明】
【００４４】
１    扇板
２    縁部
３    凹部
４    切欠き
５    固定用孔
６    シール
７    模様
８    把持部
９    表側筐体
１０    裏側筐体
１２    基板
１３    ＬＥＤ
１４    ボタン電池
１５    スイッチ板
１５’  折曲部
１６    接点
１７    押しボタン
１８    スイッチ
１９    蓋
２０    扇板受入溝
２１    扇板固定軸
２２    装飾板差込孔
２３    装飾板固定用突起
２４    装飾板
２４’  周面
２５    溝
２６    固定用孔
２７    差込部
２８    差込部の先端面
【図１】
0003105655.tif 000004
【図２】
0003105655.tif 000005
【図３】
0003105655.tif 000006
【図４】
0003105655.tif 000007
【図５】
0003105655.tif 000008
【図６】
0003105655.tif 000009